(57)【要約】      （修正有）【課題】自然環境を活かし、特に夏場における快適性の向上を図ることが可能な街並の形成方法を提供する。【解決手段】地域の気候に即した街並形成ができ、自然環境を活かし、特に、地域における平均気温が概ね２０℃を超える６月から９月の期間の夏場における快適性の向上を図ることを可能とするために、少なくとも住宅地が形成される地域の一年間の気候情報について編纂されたフェノロジーガイド２１に基づいて街並を形成する構成とした。【選択図】図５
2014148836.tif 000002
【特許請求の範囲】
【請求項１】
少なくとも住宅地が形成される地域の一年間の気候情報について編纂されたフェノロジーガイドに基づいて街並を形成することを特徴とする街並の形成方法。
【請求項２】
請求項１に記載の街並の形成方法において、
前記住宅地における夏期の主風向に面して緑地を配置し、
前記住宅地内に、前記緑地から放射状に伸びるようにして複数の街路を配置し、
複数の建物が建築される複数の街区を、前記街路に隣接して配置することを特徴とする街並の形成方法。
【請求項３】
請求項２に記載の街並の形成方法において、
前記複数の街路のうち少なくとも一つを円弧状に形成することを特徴とする街並の形成方法。
【請求項４】
請求項２または３に記載の街並の形成方法において、
前記住宅地の周縁部に沿って前記街区を配置することを特徴とする街並の形成方法。
【請求項５】
請求項２〜４のいずれか一項に記載の街並の形成方法において、
前記複数の建物のうち一部の建物を、前記街路に対して角度を付けて配置し、
当該建物と前記街路との間に、植栽部と散水手段とを有する緑化スペースを形成することを特徴とする街並の形成方法。
【請求項６】
請求項２〜５のいずれか一項に記載の街並の形成方法において、
一方の前記街路と他方の前記街路との間に配置される前記街区に、前記一方の街路に沿って並設される前記複数の建物と、前記他方の街路に沿って並設される前記複数の建物とを建築し、
前記一方の街路側の前記複数の建物と、前記他方の街路側の前記複数の建物との間を通風路とすることを特徴とする街並の形成方法。
【発明の詳細な説明】
【技術分野】
【０００１】
本発明は、街並の形成方法に関する。
【背景技術】
【０００２】
特許文献１には、造成地を斜めに区画割りして宅地を造成し、建物を敷地形状に合わせて隣地境界線に沿う方向に角度を付けて配置してなる街区の構成について記載されている。このような技術によれば、採光性や通風性等を考慮しつつ、起伏のある外観の街区を形成できるようになっている。
【先行技術文献】
【特許文献】
【０００３】
【特許文献１】特開２００２−２２０９３３号公報
【発明の概要】
【発明が解決しようとする課題】
【０００４】
ところで、地域によって自然環境には差があるため、単に敷地形状や建物の向きに一定の規則性を持たせるだけでは、地域ごとの自然環境に対応しにくい場合がある。
そこで、地域ごとの自然環境の差を考慮して宅地造成を行い、自然環境を活かした街並を形成することが望まれている。また、特に夏場の気温が高い地域では、夏場における快適性の向上が強く望まれている。
【０００５】
本発明の課題は、自然環境を活かし、特に夏場における快適性の向上を図ることが可能な街並の形成方法を提供することを目的とする。
【課題を解決するための手段】
【０００６】
請求項１に記載の発明は、例えば図１〜図５に示すように、少なくとも住宅地１が形成される地域の一年間の気候情報について編纂されたフェノロジーガイド２１に基づいて街並を形成することを特徴とする。
【０００７】
請求項１に記載の発明によれば、少なくとも住宅地１が形成される地域の一年間の気候情報について編纂されたフェノロジーガイド２１に基づいて街並を形成するので、地域の気候に即した街並形成ができる。したがって、自然環境を活かし、特に夏場における快適性の向上を図ることが可能となる。
【０００８】
請求項２に記載の発明は、請求項１に記載の街並の形成方法において、
前記住宅地１における夏期の主風向に面して緑地２を配置し、
前記住宅地１内に、前記緑地２から放射状に伸びるようにして複数の街路３〜９を配置し、
複数の建物Ａ〜Ｅが建築される複数の街区１１〜１５を、前記街路３〜９に隣接して配置することを特徴とする。
【０００９】
請求項２に記載の発明によれば、夏期において前記住宅地１に吹き込む風は、まず前記緑地２を通過して冷やされる。前記緑地２で冷やされた風は、前記複数の街路３〜９を通過して前記複数の街区１１〜１５へと通風されることになる。また、前記複数の街路３〜９を、前記緑地２から放射状に伸びるようにして前記住宅地１内に配置するので、例えば複数の街路３〜９が格子状に配置される場合に比して、前記緑地２で冷やされた風を前記住宅地１内に行き渡らせやすくなる。したがって、前記複数の街区１１〜１５に建築される前記複数の建物Ａ〜Ｅに対しても前記緑地２で冷やされた風を吹き込ませることができる。これによって、前記住宅地１がある地域の自然環境を活かし、特に夏場における快適性の向上を図ることが可能となる。
【００１０】
請求項３に記載の発明は、請求項２に記載の街並の形成方法において、
前記複数の街路３〜９のうち少なくとも一つ（例えば街路４，５）を円弧状に形成することを特徴とする。
【００１１】
請求項３に記載の発明によれば、前記複数の街路３〜９のうち少なくとも一つ（例えば街路４，５）を円弧状に形成するので、前記緑地２で冷やされた風を、前記街路（例えば街路４，５）を通過させるだけでなく、前記街路（例えば街路４，５）に隣接する前記街区１１〜１５へと吹き込みやすくさせることができる。
【００１２】
請求項４に記載の発明は、請求項２または３に記載の街並の形成方法において、
前記住宅地１の周縁部に沿って前記街区１４，１５を配置することを特徴とする。
【００１３】
請求項４に記載の発明によれば、前記住宅地１の周縁部に沿って前記街区１４，１５を配置するので、当該街区１４，１５によって前記住宅地１を取り囲むことができる。すなわち、当該街区１４，１５に建築される複数の建物Ｄ…，Ｅ…によって前記住宅地１を取り囲むことができる。これによって、当該複数の建物Ｄ…，Ｅ…は、前記住宅地１における防壁として機能することになるので、前記住宅地１の防犯性を向上させることができる。
【００１４】
請求項５に記載の発明は、請求項２〜４のいずれか一項に記載の街並の形成方法において、
前記複数の建物Ａ〜Ｅのうち一部の建物（例えば建物Ａ）を、前記街路（例えば街路４）に対して角度を付けて配置し、
当該建物（例えば建物Ａ）と前記街路（例えば街路４）との間に、植栽部１７ａと散水手段とを有する緑化スペース１７を形成することを特徴とする。
【００１５】
請求項５に記載の発明によれば、前記街路（例えば街路４）に対して角度を付けて配置された建物（例えば建物Ａ）と前記街路（例えば街路４）との間に、前記緑化スペース１７を形成するので、前記街路（例えば街路４）に沿って緑化スペース１７を配置できる。また、前記街路（例えば街路４）に対して角度を付けて配置された建物（例えば建物Ａ）を複数並べて配置した場合には、前記緑化スペース１７も前記街路（例えば街路４）に沿って複数並んで配置されることになる。これによって、前記街路（例えば街路４）に沿って植栽部１７ａを並べることができるので、前記街路（例えば街路４）および前記街区（例えば街区１１）の景観性を向上できる。
また、前記散水手段による散水を行えば、前記緑化スペース１７上を通過する風を冷却できるので、冷却された風を前記街路（例えば街路４）の先や前記街区（例えば街区１１）内に吹き込ませることで、前記街路（例えば街路４）や前記街区（例えば街区１１）に建築された前記複数の建物（例えば建物Ａ）の快適性をより向上させることができる。
【００１６】
請求項６に記載の発明は、請求項２〜５のいずれか一項に記載の街並の形成方法において、
一方の前記街路４（５）と他方の前記街路５（６）との間に配置される前記街区１２（１３）に、前記一方の街路４（５）に沿って並設される前記複数の建物Ｂ…（Ｃ…）と、前記他方の街路５（６）に沿って並設される前記複数の建物Ｂ…（Ｃ…）とを建築し、
前記一方の街路４（５）側の前記複数の建物Ｂ…（Ｃ…）と、前記他方の街路５（６）側の前記複数の建物Ｂ…（Ｃ…）との間を通風路２０とすることを特徴とする。
【００１７】
請求項６に記載の発明によれば、前記一方の街路４（５）側の前記複数の建物Ｂ…（Ｃ…）と、前記他方の街路５（６）側の前記複数の建物Ｂ…（Ｃ…）との間を通風路２０とするので、これら一方の街路４（５）側の前記複数の建物Ｂ…（Ｃ…）と、他方の街路５（６）側の前記複数の建物Ｂ…（Ｃ…）との間に街路を形成せずとも風を通過させることができる。また、前記通風路２０に植栽を設ければ、通風路２０を通過する風を冷却できるので、前記街区１２（１３）における快適性の向上に貢献できる。
【発明の効果】
【００１８】
本発明によれば、少なくとも住宅地が形成される地域の一年間の気候情報について編纂されたフェノロジーガイドに基づいて街並を形成するので、地域の気候に即した街並形成ができる。したがって、自然環境を活かし、特に夏場における快適性の向上を図ることが可能となる。
【図面の簡単な説明】
【００１９】
【図１】住宅地を示す鳥瞰図である。
【図２】住宅地の概略構成を示す図である。
【図３】住宅地の一部を示す鳥瞰図である。
【図４】街区に建築された建物の一例を示す平面図である
【図５】フェノロジーガイドの一部を示す図である。
【図６】情報配信システムを示す図である。
【図７】情報配信システムを示す図である。
【図８】アドバイスが表示された情報端末の画面を示す図である。
【図９】ポータルサイトの概略を示す図である。
【発明を実施するための形態】
【００２０】
以下、図面を参照して本発明の実施の形態について説明する。
本実施の形態における街並構造は、図１〜図５に示すように、住宅地１と、前記住宅地１における夏期の主風向に面して配置される緑地２と、前記緑地２から放射状に伸びるようにして前記住宅地１内に配置される複数の街路３〜９と、前記街路３〜９に隣接して配置され、複数の建物Ａ〜Ｅが建築される複数の街区１１〜１５と、を備える。
【００２１】
前記住宅地１は、図２に示すように、複数の外部道路１ａ…によって囲まれた位置にある造成地が、前記複数の街路３〜９によって区画された土地である。本実施の形態の住宅地１は、５本の外部道路１ａ…によって囲まれ、略五角形状に形成されている。
【００２２】
前記緑地２は、前記住宅地１において東側に配置されている。この緑地２は南北に伸びる境界道路２ａによって前記住宅地１内の前記複数の街区１１〜１５から離れて配置されている。さらに、この緑地２は、前記境界道路２ａの中央付近に、当該境界道路２ａと直交する方向（すなわち東西方向）に吹込道路２ｂが配置されている。
前記境界道路２ａは、前記住宅地１の北側に位置する前記外部道路１ａと連通している。
前記吹込道路２ｂは、前記緑地２を南北に分断しており、東から西に向かって吹く風を効率良く取り込める。また、緑地２は、この吹込道路２ｂによって南北に分断されることによって北側緑地２ｃと南側緑地２ｄとに分かれることになる。また、この吹込道路２ｂは、前記住宅地１の東側に位置する前記外部道路１ａと連通している。
【００２３】
前記緑地２は、複数本の樹木や草花等が植栽された公園区画である。本実施の形態においては、北側緑地２ｃは、遊具等が設置されることにより子供の遊び場として機能する。南側緑地２ｄは、前記住宅地１に居住する住人の集会所Ｆが建築されており、子供から大人まで長時間居られる広場として機能する。
また、井戸水等を利用して水の流れる場所を形成してもよい。すなわち、井戸水等の気化熱利用や、植栽による日陰の形成などにより、緑地２を通過する風の冷却効果を高めることができる。
【００２４】
前記街路３は、その東側端部が前記境界道路２ａと連通し、かつ東西に伸びる直線状に形成された道路である。
また、この街路３は前記緑地２の前記北側緑地２ｃの西側に位置しており、前記北側緑地２ｃを東から西に向かって通過する風が、当該街路３に対して吹き込みやすくなっている。
【００２５】
前記街路４は、その東側端部が前記境界道路２ａと連通し、かつ東から南に向かって伸びる円弧状に形成された道路である。
また、この街路４は、その東側端部が前記吹込道路２ｂの延長線上に配置されており、これら街路４と吹込道路２ｂとを、前記境界道路２ａと交差する一本の道路として見ることもできる。これによって、前記吹込道路２ｂに吹き込む風は、街路４に対して吹き込みやすくなっている。
【００２６】
前記街路５は、その東側端部が前記境界道路２ａと連通し、かつ東から南に向かって伸びる円弧状に形成された道路である。
また、この街路５は前記緑地２の前記南側緑地２ｄの西側に位置しており、前記南側緑地２ｄを東から西に向かって通過する風が、当該街路５に対して吹き込みやすくなっている。
【００２７】
前記街路６は、その東側端部が前記境界道路２ａと連通し、かつ東から南に向かって伸びる直線状に形成された道路である。より具体的に説明すると、この街路６は、北東から南西に向かって伸びる直線道路である。
また、この街路６は前記緑地２の前記南側緑地２ｄの西側に位置しており、前記南側緑地２ｄを東から西に向かって通過する風が、当該街路６に対して吹き込みやすくなっている。
【００２８】
すなわち、これら街路３，４，５，６は前記境界道路２ａと連通しており、前記緑地２を通過する風が直接的に吹き込む。
また、前記境界道路２ａ、前記吹込道路２ｂ、前記街路３，４，５，６には、ＬＥＤ街路灯が設けられており、省エネルギー化・ＣＯ２削減に貢献している。
【００２９】
前記街路７は、その北側端部が前記街路３の西端と連通するとともに、南側端部が前記街路４の中央部付近と連通し、かつ南北に伸びる略直線状に形成された道路である。前記街路３に対しては略直交する方向に配置されている。
【００３０】
前記街路８は、その東側端部が前記街路６の南端と連通し、中央付近が前記街路５と連通し、西側端部が前記街路４と連通し、かつ東西に伸びる直線状に形成された道路である。
【００３１】
前記街路９は、その北側端部が前記街路４の南端および前記街路８の西端と連通し、南側端部が前記住宅地１の南側に位置する前記外部道路１ａと連通している。また、南北に伸びる直線状に形成された道路である。
【００３２】
なお、前記街路４と前記街路７との交差部分には、東西に伸びる直線状に形成された通路１０が配置されている。この通路１０の西側端部は、前記住宅地１の西側に位置する前記外部道路１ａと連通している。
【００３３】
すなわち、前記街路７，８，９および前記通路１０は、前記境界道路２ａと連通する街路３，４，５，６と連通しており、前記街路３，４，５，６を通過する風を合流させたり、前記住宅地１内に行き渡らせたりする役割を担う。
また、前記街路７，８，９および前記通路１０には、ＬＥＤ街路灯が設けられており、省エネルギー化・ＣＯ２削減に貢献している。
【００３４】
前記街区１１は、前記境界道路２ａと、前記街路３と前記街路４と前記街路７とに隣接して配置され、これら境界道路２ａと街路３，４，７によって囲まれている。なお、この街区１１は、４つの道路によって囲まれてはいるものの、図１，図２に示すように三角形に近い形状に形成されている。
また、この街区１１には、複数の建物Ａ…（建物群Ａ）が建築されている。これら複数の建物Ａ…は、いわゆる戸建住宅である。
【００３５】
前記街区１２は、前記境界道路２ａと、前記街路４と前記街路５と前記街路８とに隣接して配置され、これら境界道路２ａと街路４，５，８によって囲まれている。この街区１２は、円弧状に形成された街路４，５の間に位置するため、図１，図２に示すように扇形に形成されている。
また、この街区１２には、複数の建物Ｂ…（建物群Ｂ）が建築されている。これら複数の建物Ｂ…は、いわゆる戸建住宅である。
【００３６】
前記街区１３は、前記境界道路２ａと、前記街路５と前記街路６と前記街路８とに隣接して配置され、これら境界道路２ａと街路５，６，８によって囲まれている。この街区１２は、円弧状に形成された街路５と直線状に形成された街路６との間に位置しており、図１，図２に示すように略扇形に形成されている。
また、この街区１３には、複数の建物Ｃ…（建物群Ｃ）が建築されている。これら複数の建物Ｃ…は、いわゆる戸建住宅である。
【００３７】
前記街区１４，１５は、図１，図２に示すように、前記住宅地１の周縁部に沿って配置されている。
前記街区１４は、前記住宅地１の北側および西側に位置する前記外部道路１ａ，１ａと、前記街路３と前記街路７と前記街路４の一部とに隣接して配置され、これら外部道路１ａ，１ａと街路３，７と街路４の一部によって囲まれている。この街区１４は、前記外部道路１ａ，１ａに沿って略Ｌ字状に形成されている。
前記街区１５は、前記住宅地１の南側および南東側に位置する前記外部道路１ａ，１ａと、前記街路６と前記街路８とに隣接して配置され、これら外部道路１ａ，１ａと街路６，８によって囲まれている。この街区１５は、前記外部道路１ａ，１ａに沿って略逆への字状に形成されている。
【００３８】
前記街区１４には、複数の建物Ｄ…（建物群Ｄ）が建築されている。これら複数の建物Ｄ…は、いわゆる戸建住宅である。
また、前記街区１５には、複数の建物Ｅ…（建物群Ｅ）が建築されている。これら複数の建物Ｅ…は、いわゆる戸建住宅である。
前記街区１４，１５に建築される建物Ｄ，Ｅは、前記住宅地１の周縁部に沿って一列に並んで配置されている。
そして、前記街区１４，１５に建築される複数の建物Ｄ…，Ｅ…の屋根は南向きの屋根面を有しており、当該南向きの屋根面のそれぞれには太陽電池アレイ１６が設置されている。
【００３９】
前記街区１１，１２，１３は、前記住宅地１の中央側に位置しており、その形状は、前記複数の街路３，４，５，６の形状によって規定されている。すなわち、前記街区１１，１２，１３は、前記住宅地１の街並を意識した配置とされている。
前記街区１４，１５は、前記住宅地１の周縁部に沿って配置されるため、前記住宅地１における防壁として機能する。また、これら街区１４，１５は、直線上に形成される部分が多いため、建築される建物Ｄ…，Ｅ…も、直線を意識した配置を行うことができ、これによって、特に前記太陽電池アレイ１６の発電効率を意識した南北軸配置を行うことができる。
【００４０】
なお、前記街区１１〜１５に建築される建物Ａ〜Ｅは全て戸建住宅であるが、これに限られるものではなく、例えば集合住宅であってもよいし、中層建築物以上の高さの建築物であってもよい。
また、前記街区１４，１５だけでなく、前記住宅地１の中央側に配置される前記街区１１，１２，１３の建物Ａ…，Ｂ…，Ｃ…の屋根のそれぞれにも、前記太陽電池アレイ１６が設置されているものとする。
さらに、前記緑地２に建築された前記集会所Ｆの屋根にも、前記太陽電池アレイ１６が設置されているものとする。
【００４１】
また、前記複数の建物Ａ〜Ｅの中には前記街路３〜９に対して角度を付けて配置されるものがあり、当該建物Ａ〜Ｅと前記街路３〜９との間には、植栽部１７ａと散水手段（図示せず）とを有する緑化スペース１７が形成されている。
本実施の形態においては、図３，図４に示すように、前記建物Ａが、前記街路４に対して角度を付けて配置されている。すなわち、前記街路４は、上述のように東から南に向かって伸びる円弧状に形成された道路であり、このような円弧状の街路４に対して、前記建物Ａは南北軸に沿って建築されている。したがって、前記緑化スペース１７が、当該建物Ａと街路４との間に形成されることになる。
このような緑化スペース１７は、平面視において略三角形状に形成されており、植物が栽培される植栽部１７ａを備える。さらに、散水手段として、例えばミストシャワー装置が設置されている。すなわち、前記植栽部１７ａによって日陰を形成したり、ミストシャワー装置によって気化熱を発生させたりして冷却効果を得ることができる。
なお、本実施の形態においては、前記緑化スペース１７は、前記街路４に沿って複数並んで配置されている。
【００４２】
また、このように前記街路４と前記建物Ａとの配置を、例えば建物Ａの正面と街路４とが平行に配置されない、すなわち角度を付けた状態とすることによって、街区１１の景観に凹凸を形成できる。
なお、前記複数の緑化スペース１７…が、緩やかな曲線道路である前記街路４に沿って並んで配置された状態となっているので、街路４に沿って進めば、連続して緑化スペース１７が目に入り、景観性に優れる。
【００４３】
また、前記複数の建物Ａ〜Ｅの中には、前記街路３〜９を挟んで雁行配置されるものがある。例えば図３に示すように、前記街区１２に建築される建物Ａと、前記街区１４に建築される建物Ｄとが雁行配置されている。すなわち、図示例では、前記建物Ａが前記建物Ｄに対して南北方向にずれるようにして配置されている。これによって、前記街路７の景観に凹凸（陰影）を形成でき、景観性に優れる。
【００４４】
また、前記複数の建物Ａ〜Ｅの中には、北側に植栽１８ａを配置した庭１８を有するものがある。本実施の形態においては、図４に示すように、前記建物Ａが、北側に植栽１８ａを配置した庭１８を有するものとして建築されている。北庭１８は、建物Ａ自身の日陰となる場所に形成されるため、南側に形成される庭に比して温度が低い。
また、この建物Ａの内部の北側に位置する部屋は「夏の間１９」とされている。すなわち、前記北庭１８は、植栽１８ａの蒸散機能を利用し、周囲を冷却する機能を有する。このような北庭１８に面するように配置された前記夏の間１９は、夏場において居室として利用することで住人は涼を取ることができるので好ましい。
【００４５】
前記集会所Ｆは、前記住宅地１内では、災害時等にも機能するセキュリティーセンターとして位置づけられている。
この集会所Ｆには、前記太陽電池アレイ１６の他にも、定置型蓄電池を設置し、緊急時のエネルギーを確保できるようにしている。また、共同井戸を設置し、緊急時の水需要にも対応できるようにしている。防災備蓄庫も併設されており、非常用食料、救助用道具等が備蓄されている。
通常時は、前記住宅地１内のエネルギーを一元管理するためのエネルギーセンターとして機能させてもよいものとする。
【００４６】
また、前記街路４と前記街路５との間に配置される前記街区１２には、図１に示すように、前記街路４側に沿って並設される前記複数の建物Ｂ…と、前記街路５側に沿って配置される前記複数の建物Ｂ…とが建築されている。
そして、前記街路４側の前記複数の建物Ｂ…と、前記街路５側の前記複数の建物Ｂ…との間が通風路２０とされている。すなわち、前記街区１２には、前記街路４，５の他にも風を通す道として、前記通風路２０が形成されている。したがって、街区１２における通風性を高めるために、前記街路４側の前記複数の建物Ｂ…と、前記街路５側の前記複数の建物Ｂ…との間に、前記街路４，５とは別の街路を形成する必要がない。
また、前記街区１２の、前記街路４側の前記複数の建物Ｂ…と、前記街路５側の前記複数の建物Ｂ…とは背中合わせに配置されている。
【００４７】
なお、前記街路５と前記街路６との間に配置される前記街区１３にも同様に通風路２０を形成することができる。
すなわち、通風路２０を形成するに際しては、一方の複数の建物と他方の複数の建物とが、それぞれ列を為して並設されている必要がある。本実施の形態においては、前記街区１２に建築される複数の建物Ａ…も２列に並んで配置され、前記街区１３に建築される複数の建物Ｂ…も２列に並んで配置されている。
また、このような通風路２０は、前記北庭１８を通過するようにしてもよい。また、前記通風路２０上に、前記北庭１８のように植栽を設けるようにしてもよい。
【００４８】
なお、本実施の形態における街並構造には、気象情報を始めとする様々な情報を配信する情報配信システムが設けられる。
【００４９】
以上のような街並構造によれば、夏期において前記住宅地１に吹き込む風は、まず前記緑地２を通過して冷やされる。前記緑地２で冷やされた風は、前記複数の街路３〜９を通過して前記複数の街区１１〜１５へと通風されることになる。また、前記複数の街路３〜９が、前記緑地２から放射状に伸びるようにして前記住宅地１内に配置されるので、例えば複数の街路３〜９が格子状に配置される場合に比して、前記緑地２で冷やされた風を前記住宅地１内に行き渡らせやすくなる。したがって、前記複数の街区１１〜１５に建築される前記複数の建物Ａ〜Ｅに対しても前記緑地２で冷やされた風を吹き込ませることができる。これによって、前記住宅地１がある地域の自然環境を活かし、特に夏場における快適性の向上を図ることが可能となる。
【００５０】
次に、街並の形成方法について説明する。
本実施の形態における街並の形成方法は、図１〜図５に示すように、少なくとも前記住宅地１が形成される地域の一年間の気候情報について編纂されたフェノロジーガイド２１に基づいて街並を形成する。
【００５１】
フェノロジーガイド２１は、前記住宅地１がある地域の歴史や気候風土、自然環境を調査して一覧にまとめたものであり、その地域の特性を十分把握し、それを活かした町づくりを可能としている。「重ね暦」とも呼ばれ、一年の暦にしたがって気温や風向き、花ごよみ、野鳥、年中行事などを併記することで、より自然自然環境に沿ったまちづくりが可能となる。
本実施の形態においては、一年間の気候情報についてのみ図示したが、上述のように一年間を通じての花の咲く時期や、野鳥が飛来する時期、年中行事等を始め、様々な地域情報を編纂したものを利用して前記住宅地１を設計し、形成する。
【００５２】
フェノロジーガイド２１のうち、特に重要視されるものとして、夏期の主風向が挙げられる。ここで、夏期とは、当該地域における平均気温が概ね２０℃を超える６月から９月の期間を指している。
フェノロジーガイド２１によれば、６月から９月の間における風向が、東から西に向かって吹く「東風」となっている。したがって、前記住宅地１のうち夏期の主風向に面する位置、すなわち住宅地１の東側に前記緑地２を配置する。なお、緑地２を配置する場所に元々あった樹木（既存樹）等は極力保存し、樹木周囲に形成された生態系を残した状態で、前記住宅地１を形成することが望ましい。
【００５３】
さらに、前記住宅地１外の周辺環境も考慮して前記住宅地１の設計を行うことが望ましい。すなわち、周辺に拠点となる緑地があるか否か、水源があるか否か、地形等、様々な情報を予め入手しておき、それを考慮して前記住宅地１の設計を行う。これによって、例えば周辺地域の拠点緑地から前記住宅地１に野鳥が飛来したり、小動物が移動してきたり、草木の種子が飛来したり等、自然環境を活かした町づくりを目指す上で、様々な恩恵を受けることができる。
【００５４】
そして、前記住宅地１内に、前記緑地２から放射状に伸びるようにして前記複数の街路３〜９を配置する。また、これら複数の街路３〜９のうち少なくとも一つ（本実施の形態では街路４，５）を円弧状に形成する。
また、前記複数の建物Ａ〜Ｅが建築される前記複数の街区１１〜１５を、前記街路３〜９に隣接して配置する。前記街区１１，１２，１３は、前記街路３〜９によって形成される街並を意識した配置とし、前記街区１４，１５は、前記住宅地１の周縁部に沿って配置し、前記外部道路１ａ…および前記太陽電池アレイ１６による太陽光発電効率を意識した南北軸配置とする。
【００５５】
前記街区１１〜１５は、前記複数の建物Ａ〜Ｅがそれぞれ建築されるため区画整理を行う。その際は、建築された後の建物Ａ〜Ｅと街並との関係を予め考慮に入れておくことが望ましい。
上述のように前記複数の建物Ａ〜Ｅのうち一部の建物を、前記街路に対して角度を付けて配置する。本実施の形態においては、前記建物Ａを、前記街路４に対して角度を付けて配置した。そして、当該建物Ａと前記街路４との間に、前記緑化スペース１７を形成した。したがって、予め緑化スペース１７を形成することを考慮に入れて、前記住宅地１の設計を行う。
【００５６】
また、前記街路４側の前記複数の建物Ｂ…と、前記街路５側の前記複数の建物Ｂ…との間に前記通風路２０を形成する。この通風路２０上には植栽を設ける。
同様に、前記街路５と前記街路６との間に配置される前記街区１３にも通風路２０を形成する。したがって、予め通風路２０を形成することを考慮に入れて、前記住宅地１の設計を行う。
【００５７】
次に、本実施の形態における情報配信システムについて説明する。
本実施の形態の情報配信システムは、図１，図６〜図９に示すように、気象観測装置２２と、情報端末２３，２４，２５と、データベース２６と、サーバ２７と、を有する。
【００５８】
前記気象観測装置２２は、前記緑地２に設置され、前記住宅地１が形成される地域の気象観測を行うものである。
本実施の形態の気象観測装置２２は、デジタル気象観測装置であり、気象観測データとして、例えば温度、湿度、気圧、風向、風速、雨量の瞬時値、雨量の時間最低／最高値等を観測することができる。
【００５９】
前記情報端末２３は、ユーザーによって所有され、通信ネットワークを介して前記気象観測装置２２と接続されるものであり、例えばエネルギー表示装置である。
なお、本実施の形態の各建物Ａ〜Ｅには、ホームエネルギーマネージメントシステム（ＨＥＭＳ）が設置されている。ホームエネルギーマネージメントシステムは、各建物Ａ〜Ｅの全体の電力等のエネルギー需給を総合的に管理するエネルギー管理手段であり、前記太陽電池アレイ１６を含む電気配線網、通信ネットワーク、分電盤および前記エネルギー表示装置２３等を備える。
なお、ユーザーとは、前記住宅地１内に住む住人はもちろんのこと、本実施の形態の情報配信システムを含むサービスへの加入者を指すものとする。
【００６０】
分電盤は、買電用電力計（順潮流用電力計）および売電用電力計（逆潮流用電力計）等の電力メーターを介して系統電源に接続されている。系統電源は、電力会社の商用配電線網（系統電力網）から供給される電源である。すなわち、分電盤は、電力潮流制御を行うことができ、必要に応じて余剰電力を系統電源へ逆潮流して、その余剰電力を系統電源に供給する。
また、この分電盤はセンサー付き分電盤とされており、住宅内の各所で使用される電力使用量を計測する計測ユニットや、ガス・水道の使用量を計測する流量センサーと接続されるパルスカウンターを有する。
【００６１】
エネルギー表示装置２３は、前記ホームエネルギーマネージメントシステムにおいて前記分電盤と接続されており、系統電源や前記太陽電池アレイ１６による自家発電電力、蓄電電力等を管理・制御できる。また、エネルギー表示装置２３は前記分電盤を介して接続された各種電気機器等の制御も行うことができる。
また、この表示装置は、エネルギー状況や各種情報が表示される表示部と、前記表示部に表示された画面や前記ホームエネルギーマネージメントシステムに組み込まれた各種電気機器の操作を行うための操作部と、前記ホームエネルギーマネージメントシステムの各種動作を制御するための制御手段とを備える。
なお、このエネルギー表示装置２３は通信ネットワークを利用して、例えばスマートフォン等の情報端末と接続可能とされており、外出中でも、この情報端末上で各種操作や情報確認等を行うことができる。
また、このエネルギー表示装置２３は通信ネットワークを利用して、例えば住宅関連サービスを提供する会社のサーバにアクセスして、住宅関連サービスを受けることができる。例えば、エネルギー表示装置２３を構成するソフトウェアのアップデートを行うなど様々なサービスが挙げられる。
【００６２】
前記情報端末２４は、ユーザーによって所有され、通信ネットワークを介して前記気象観測装置２２と接続されるものであり、例えばスマートフォンである。
スマートフォン２４は、正面の大部分を占めるディスプレイ部分を表示部としている。また、ディスプレイ部分はタッチパネルとされている。すなわち、ディスプレイ部分を操作部としている。したがって、表示部に表示されるボタン等をタッチしたり、画面をスライドさせたり、文字入力することによって各種操作ができる。
また、このスマートフォン２４は、前記エネルギー表示装置２３に対しても接続されているため、エネルギー表示装置２３に見ることができる情報を、スマートフォン２４でも見ることができる。また、エネルギー表示装置２３でできる各種操作も、このスマートフォン２４で行うことができる。
【００６３】
前記情報端末２５は、ユーザーによって所有され、通信ネットワークを介して前記気象観測装置２２と接続されるものであり、例えば従来公知のパソコンであり、表示部となるディスプレイや、操作部となるキーボード・マウス等を適宜備える。
なお、本実施の形態の情報端末２３，２４，２５は、以上のものに限られるものではなく、その他の情報端末でもよいものとする。
【００６４】
前記データベース２６は、様々な気象条件に対応する様々なアドバイスデータ２６ａが格納されるものである。アドバイスの種類は多数かつ多様であり、前記気象観測装置２２によって得られる詳細な観測データに対応できるようになっている。
【００６５】
前記サーバ２７は、通信ネットワークを介して前記気象観測装置２２と前記情報端末２３，２４，２５とに接続され、前記気象観測装置２２によって観測された気象観測データに対応するアドバイスデータ２６ａを前記データベース２６から抽出して前記情報端末２３，２４，２５に配信するものである。
その他、必要なプログラムやデータを備えているものとする。
【００６６】
また、前記ホームエネルギーマネージメントシステムを構成する前記エネルギー表示装置２３は、通信ネットワークを介して前記サーバ２７に接続されている。
前記サーバ２７は、前記気象観測装置２２から送信される気象観測データと、前記各建物Ａ〜Ｅの前記エネルギー表示装置２３から送信されるエネルギー使用状況に基づいて算出される前記住宅地１内のエネルギー使用状況と、に基づいてアドバイスデータ２６ａを抽出し、前記情報端末であるエネルギー表示装置２３やスマートフォン２４、パソコン２５に配信する。
また、前記アドバイスデータ２６ａとして、前記各建物Ａ〜Ｅにおける冷暖房設備の使用状況に関するアドバイスデータ２６ａが含まれている。なお、本実施の形態の冷暖房設備としては、いわゆるエアコン（空調機）が採用されているが、これに限られるものではなく、適宜変更可能である。また、空気調和設備を採用してもよいものとする。
【００６７】
すなわち、図７においては、本実施の形態の情報配信システムによって前記住宅地１のエネルギー利用状態の可視化を行うことが示されている。例えば前記住宅地１を含む周辺地域のユーザー家庭のトータルエネルギー利用量や平均的なエネルギー利用量を、通信ネットワークを介して、前記情報端末２３，２４，２５で確認できるようになっている。
その際は、例えば外部のデータセンター等を利用してメール等によって確認できるようにしてもよい。
また、前記住宅地１を含む周辺地域のエアコン稼働率が可視化されれば、ユーザーは、前記住宅地１を含む周辺地域のエアコン稼働率を、エアコンのオン・オフのタイミングを判断する目安として利用できるので、広域での省エネルギー化・ＣＯ２削減を図ることが可能となる。
【００６８】
さらに、図８においては、前記気象観測装置２２による気象観測データに基づくアドバイスデータ２６ａが表示された複数の表示画面が示されている。なお、図８は、スマートフォン２４の画面であるが、他の情報端末２３，２５でも略同様の表示画面を表示できる。
これら表示画面では、エアコンに関するアドバイスデータ２６ａが表示されている。例えば、自然換気を促したり、エアコンの電源オフを促したり、水分補給を促すなど、様々なアドバイスデータがある。
また、前記気象観測装置２２による気象観測データに基づいて、例えば時間ごとの日射しの強弱や、紫外線の強弱、天気、気温、時間ごとの風の強弱、風向、風速、時間ごとの熱中症ガイド等の各種情報が、前記情報端末２３，２４，２５に配信される。各種情報は、ユーザーが分かりやすいように、ウィンドウ、アイコン、ボタン、タブ、図、表、グラフ、テキスト、標識、模様といったオブジェクトが適宜配置された画面に構成されて配信される。
【００６９】
また、前記サーバ２７は、前記気象観測装置２２によって観測された気象観測データを含む前記住宅地１内の諸情報や住人へのサービス情報を提供するための住人専用ポータルサイト（まちの回覧板２８）を、前記通信ネットワーク上に配信している。
例えば、このまちの回覧板２８では、住人同士の物の貸し借り（まちのモノシェア２９）や、簡単なお稽古教室開設のための掲示板（オケイコホームタウンシステム３０）を掲載したり、前記気象観測装置２２による気象観測データを開示したり（まちの気象台情報３１）、回覧板機能、お掃除・修理問い合わせ窓口（リフォームメンテナンス情報３２）、植栽お手入れアドバイス３３を掲載したりする。
すなわち、住人が、できるだけ業者や行政に頼らずに、前記住宅地１を住人主体で管理できる環境を整えることができる。
【００７０】
「まちのモノシェア２９」では、一時的にしか使わないベビーカーや、必要な人で集まって購入したい家庭菜園の道具など、ポータルサイトと道具の収納庫を連動して、住人間で物の貸し借りを誘発する。
「オケイコホームタウンシステム３０」は、住人が活かしたい能力や趣味をポータルサイトに登録し、気軽に習い事を始めたい住人や、眠っている能力を活かしたい住人同士が連携する仕組みとなっている。
「まちの気象台情報３１」では、上述のような気象観測データに基づく各種情報を掲載する。
「リフォームメンテナンス情報３２」では、各建物Ａ〜Ｅのリフォーム時期のアナウンス、メンテナンス情報を掲載する。
「植栽お手入れアドバイス３３」では、地域特性に合った植栽計画、お手入れ方法を学ぶことができるようにしている。前記フェノロジーガイド２１に即した植栽計画が立てられるものとする。
【００７１】
以上のような情報配信システムによれば、前記気象観測装置２２によって観測された気象観測データを、前記通信ネットワークを介して前記情報端末２３，２４，２５に配信することが可能となる。前記情報端末２３，２４，２５を所有するユーザーが前記住宅地１の住人であれば、前記住宅地１が形成される地域の気象情報を活かした快適な生活を送るために必要な情報を入手できるので、自身の生活の快適性向上を図ることが可能となる。
また、前記気象観測装置２２は前記緑地２に設置されているので、外部から入手する広域の気象情報よりも詳細な気象観測データを入手できる。
【００７２】
本実施の形態によれば、少なくとも住宅地１が形成される地域の一年間の気候情報について編纂されたフェノロジーガイド２１に基づいて街並を形成するので、地域の気候に即した街並形成ができる。したがって、自然環境を活かし、特に夏場における快適性の向上を図ることが可能となる。
【００７３】
また、夏期において前記住宅地１に吹き込む風は、まず前記緑地２を通過して冷やされる。前記緑地２で冷やされた風は、前記複数の街路３〜９を通過して前記複数の街区１１〜１５へと通風されることになる。また、前記複数の街路３〜９を、前記緑地２から放射状に伸びるようにして前記住宅地１内に配置するので、例えば複数の街路３〜９が格子状に配置される場合に比して、前記緑地２で冷やされた風を前記住宅地１内に行き渡らせやすくなる。したがって、前記複数の街区１１〜１５に建築される前記複数の建物Ａ〜Ｅに対しても前記緑地２で冷やされた風を吹き込ませることができる。これによって、前記住宅地１がある地域の自然環境を活かし、特に夏場における快適性の向上を図ることが可能となる。
【００７４】
また、前記複数の街路３〜９のうち前記街路４，５を円弧状に形成するので、前記緑地２で冷やされた風を、前記街路４，５を通過させるだけでなく、前記街路４，５に隣接する前記街区１１〜１５へと吹き込みやすくさせることができる。
【００７５】
また、前記住宅地１の周縁部に沿って前記街区１４，１５を配置するので、当該街区１４，１５によって前記住宅地１を取り囲むことができる。すなわち、当該街区１４，１５に建築される複数の建物Ｄ…，Ｅ…によって前記住宅地１を取り囲むことができる。これによって、当該複数の建物Ｄ…，Ｅ…は、前記住宅地１における防壁として機能することになるので、前記住宅地１の防犯性を向上させることができる。
【００７６】
また、前記街路４に対して角度を付けて配置された建物Ａと前記街路４との間に、前記緑化スペース１７を形成するので、前記街路４に沿って緑化スペース１７を配置できる。また、前記街路４に対して角度を付けて配置された建物Ａを複数並べて配置した場合には、前記緑化スペース１７も前記街路４に沿って複数並んで配置されることになる。これによって、前記街路４に沿って植栽部１７ａを並べることができるので、前記街路４および前記街区１１の景観性を向上できる。
また、前記散水手段による散水を行えば、前記緑化スペース１７上を通過する風を冷却できるので、冷却された風を前記街路４の先や前記街区１１内に吹き込ませることで、前記街路４や前記街区１１に建築された前記複数の建物Ａの快適性をより向上させることができる。
【００７７】
また、前記一方の街路４（５）側の前記複数の建物Ｂ…（Ｃ…）と、前記他方の街路５（６）側の前記複数の建物Ｂ…（Ｃ…）との間を通風路２０とするので、これら一方の街路４（５）側の前記複数の建物Ｂ…（Ｃ…）と、他方の街路５（６）側の前記複数の建物Ｂ…（Ｃ…）との間に街路を形成せずとも風を通過させることができる。また、前記通風路２０に植栽を設ければ、通風路２０を通過する風を冷却できるので、前記街区１２（１３）における快適性の向上に貢献できる。
【符号の説明】
【００７８】
１  住宅地
２  緑地
２ａ  境界道路
２ｂ  吹込道路
４  街路
５  街路
６  街路
７  街路
８  街路
９  街路
１０  通路
１１  街区
１２  街区
１３  街区
１４  街区
１５  街区
２１  フェノロジーガイド
２２  気象観測装置
２３  情報端末
２４  情報端末
２５  情報端末
２６  データベース
２６ａ  アドバイスデータ
２７  サーバ
２８  まちの回覧板（ポータルサイト）
Ａ  建物・建物群
Ｂ  建物・建物群
Ｃ  建物・建物群
Ｄ  建物・建物群
Ｅ  建物・建物群
Ｆ  集会所
【図１】
2014148836.tif 000003
【図２】
2014148836.tif 000004
【図３】
2014148836.tif 000005
【図４】
2014148836.tif 000006
【図５】
2014148836.tif 000007
【図６】
2014148836.tif 000008
【図７】
2014148836.tif 000009
【図８】
2014148836.tif 000010
【図９】
2014148836.tif 000011